(57)【要約】【課題】多種多様な設備機器と容易に接続でき、設備情報の取得及び表示が容易に行える設備情報表示装置を提供する。【解決手段】共通設備情報取得部１１１は、接続された設備機器から、機種毎に共通する情報である共通設備情報を取得し、固有設備情報取得部１１２は、動作状態を示す情報等である固有設備情報を取得する。共通設備情報取得部１１１及び固有設備情報取得部１１２が取得したそれぞれの情報は、表示情報格納テーブル１５０に格納される。表示処理部１１３は、表示情報格納テーブル１５０に格納されている情報を所定の態様で表示する。また、共通設備情報取得部１１１は、取得した共通設備情報に基づいて当該設備機器の機種ＩＤを特定する。固有設備情報取得部１１２は、機種ＩＤが特定された後、固有設備情報を取得する処理を開始する。【選択図】図２
2010250679.tif 000002
【特許請求の範囲】
【請求項１】
接続対象となる設備機器の識別情報の入力を受け付ける識別情報入力受付手段と、
所定の通信方式に従って前記設備機器とデータ通信を行う通信手段と、
該通信手段を介して、前記設備機器から該設備機器の機種毎に共通した第１の設備情報を取得する第１の設備情報取得手段と、
前記通信手段を介して、前記設備機器から前記第１の設備情報とは異なる第２の設備情報を取得する第２の設備情報取得手段と、
入力された前記識別情報と、前記第１の設備情報取得手段により取得された前記第１の設備情報と、前記第２の設備情報取得手段により取得された前記第２の設備情報と、が格納される記憶手段と、
該記憶手段に格納されている前記識別情報と、前記第１の設備情報と、前記第２の設備情報と、に基づいた情報を所定の態様で表示する表示手段と、を備え、
前記第１の設備情報取得手段は、取得した前記第１の設備情報に基づいて当該設備機器の機種を判定し、判定した機種についての情報を機種情報として前記記憶手段に格納し、
前記第２の設備情報取得手段は、前記機種情報が前記記憶手段に格納された後、当該機種情報に基づいて、前記設備機器から前記第２の設備情報を取得する処理を開始する、
ことを特徴とする設備情報表示装置。
【請求項２】
前記第２の設備情報には、前記設備機器の動作状態に関する情報が含まれる、
ことを特徴とする請求項１に記載の設備情報表示装置。
【請求項３】
前記第１の設備情報取得手段は、前記設備機器から送信されたデータから、その一部を所定の抽出規定に従って抽出し、これを前記第１の設備情報として取得する、
ことを特徴とする請求項１又は２に記載の設備情報表示装置。
【請求項４】
前記第２の設備情報取得手段は、前記設備機器から送信されたデータから、その一部を所定の抽出規定に従って抽出し、これを前記第２の設備情報として取得する、
ことを特徴とする請求項１乃至３の何れか１項に記載の設備情報表示装置。
【請求項５】
前記第１の設備情報取得手段は、取得した前記第１の設備情報の内容を所定の変換規定に従って変換した第１の表示情報を生成し、生成した前記第１の表示情報を前記記憶手段に格納し、
前記表示手段は、前記記憶手段に格納されている前記第１の表示情報を所定の態様で表示する、
ことを特徴とする請求項１乃至４の何れか１項に記載の設備情報表示装置。
【請求項６】
前記第２の設備情報取得手段は、取得した前記第２の設備情報の内容を所定の変換規定に従って変換した第２の表示情報を生成し、生成した前記第２の表示情報を前記記憶手段に格納し、
前記表示手段は、前記記憶手段に格納されている前記第２の表示情報を所定の態様で表示する、
ことを特徴とする請求項１乃至５の何れか１項に記載の設備情報表示装置。
【請求項７】
コンピュータに、
入力装置を介して入力された情報を、接続対象となる設備機器の識別情報として記憶装置に格納する手段、
通信装置を制御して、前記設備機器とデータ通信を行う通信手段、
該通信手段を介して、前記設備機器から該設備機器の機種毎に共通した第１の設備情報を取得し、前記記憶装置に格納する第１の設備情報取得手段、
前記通信手段を介して、前記設備機器から前記第１の設備情報とは異なる第２の設備情報を取得し、前記記憶装置に格納する第２の設備情報取得手段、
前記記憶装置に格納されている前記識別情報と、前記第１の設備情報と、前記第２の設備情報と、に基づいた情報を所定の態様で表示装置に表示させる表示手段、として機能させ、
前記第１の設備情報取得手段は、取得した前記第１の設備情報に基づいて当該設備機器の機種を判定し、判定した機種についての情報を機種情報として前記記憶装置に格納し、
前記第２の設備情報取得手段は、前記機種情報が前記記憶装置に格納された後、当該機種情報に基づいて、前記設備機器から前記第２の設備情報を取得する処理を開始する、
ことを特徴とするプログラム。
【請求項８】
請求項１乃至６の何れか１項に記載の設備情報表示装置と、
１又は複数の設備機器と、を備える、
ことを特徴とする設備情報表示システム。
【発明の詳細な説明】
【技術分野】
【０００１】
本発明は、設備機器から設備情報を取得して表示する設備情報表示装置及びそのプログラム並びに設備情報表示システムに関する。
【背景技術】
【０００２】
一般に、ビル内の各所に設置された空調機器や照明機器等の各設備機器は、中央監視室等の特定の場所に設置された監視装置にネットワークを介して接続され、集中管理されているケースが多い。設備機器のかかる集中管理について、従来より種々の技術が提案されている（例えば、特許文献１等）。
【０００３】
ところで、設備機器のメンテナンス作業では、作業者は、当該設備機器から監視装置に収集される設備情報（機器種別や運転状態等）を確認しつつ、実際にその動作音や振動の大きさ等をチェックする必要がある。その際、作業者が一人であると、当該現場と中央監視室等を行き来して作業を行わなければならない。そうなると、効率性がよくないばかりか、設備情報の確認と、至近での実際の動作確認との間にタイミングのずれが生じ、メンテナンスの信頼性も損なうおそれがある。
【０００４】
一方、作業現場と中央監視室等のそれぞれに人員を配置し、双方が得た情報を携帯端末等でやり取りすることで作業を行う場合には、上記の問題点はある程度解消できる。しかし、当然のことながら、その分の人件費が増し、メンテナンスのコストが嵩むことになる。
【０００５】
この点に関し、例えば、異常内容等の自己の設備情報を表示させるための表示装置を備えた設備機器が提案されている（例えば、特許文献２等）。
【先行技術文献】
【特許文献】
【０００６】
【特許文献１】特開平１０−９８７７８号公報
【特許文献２】特開平７−３５３９４号公報
【発明の概要】
【発明が解決しようとする課題】
【０００７】
しかしながら、設備機器自体に設備情報を表示させるための専用の機能を組み入れるようにすると、設備機器の製造コストの上昇を招くことになる。
【０００８】
本発明は、上記問題に鑑みてなされたものであり、設備機器の構成を複雑にしたり、あるいは複雑なシステムを構築することなく、多種多様な設備機器と容易に接続でき、設備情報の取得及び表示が容易に行える設備情報表示装置及びそのプログラム並びに設備情報表示システムを提供することを目的とする。
【課題を解決するための手段】
【０００９】
上記目的を達成するため、本発明に係る設備情報表示装置は、
接続対象となる設備機器の識別情報の入力を受け付ける識別情報入力受付手段と、
所定の通信方式に従って前記設備機器とデータ通信を行う通信手段と、
該通信手段を介して、前記設備機器から該設備機器の機種毎に共通した第１の設備情報を取得する第１の設備情報取得手段と、
前記通信手段を介して、前記設備機器から前記第１の設備情報とは異なる第２の設備情報を取得する第２の設備情報取得手段と、
入力された前記識別情報と、前記第１の設備情報取得手段により取得された前記第１の設備情報と、前記第２の設備情報取得手段により取得された前記第２の設備情報と、が格納される記憶手段と、
該記憶手段に格納されている前記識別情報と、前記第１の設備情報と、前記第２の設備情報と、に基づいた情報を所定の態様で表示する表示手段と、を備え、
前記第１の設備情報取得手段は、取得した前記第１の設備情報に基づいて当該設備機器の機種を判定し、判定した機種についての情報を機種情報として前記記憶手段に格納し、
前記第２の設備情報取得手段は、前記機種情報が前記記憶手段に格納された後、当該機種情報に基づいて、前記設備機器から前記第２の設備情報を取得する処理を開始する、ことを特徴とする。
【発明の効果】
【００１０】
本発明によれば、設備機器の機種によらず、接続した設備機器からの設備情報の取得及び表示を容易に行うことが可能になる。
【図面の簡単な説明】
【００１１】
【図１】本発明の一実施形態に係る設備情報表示システムの構成を示す図である。
【図２】図１の設備情報表示装置の構成をより詳細に示した図である。
【図３】表示情報格納テーブルの一例を示す図である。
【図４】共通設備情報取得処理の手順を示すフローチャートである。
【図５】要求コマンドの構成を示す図である。
【図６】共通設備用テーブルの一例を示す図である。
【図７】コマンド対応テーブルの一例を示す図である。
【図８】応答コマンドの構成を示す図である。
【図９】コマンド解析用テーブルの一例を示す図である。
【図１０】情報格納位置について説明するための図である。
【図１１】パターン番号と変換内容との関係を示す表である。
【図１２】固有設備情報取得処理の手順を示すフローチャートである。
【図１３】固有設備用テーブルの一例を示す図である。
【図１４】設備情報表示装置に複数の設備機器が接続される例を示す図である。
【発明を実施するための形態】
【００１２】
以下、本発明の一実施形態に係る設備情報表示システムについて図面を参照して説明する。
【００１３】
図１に示すように、本実施形態に係る設備情報表示システム１は、設備情報表示装置１０と、設備機器２０とから構成される。設備情報表示装置１０と設備機器２０とはシリアルケーブル３０を介して接続されている。
【００１４】
設備情報表示装置１０は、例えば、商業ビルや公共ビル内に設置される空調機器や照明機器等の設備機器２０から設備情報を取得させ、これを表示させる目的で使用される。この設備情報は、大別すると、共通設備情報と、固有設備情報とに分類できる。共通設備情報（第１の設備情報）とは、当該設備機器２０の機種毎に共通する情報であり、その設備機器２０の機種を特定できる情報が含まれる。固有設備情報（第２の設備情報）とは、共通設備情報以外の情報であり、例えば、当該設備機器２０の動作状態（例えば、運転中／停止中、正常／異常など）や当該設備機器２０が備える各種センサの検出値に関する情報等が含まれる。
【００１５】
図１に示すように、設備情報表示装置１０は、インタフェース部１００（通信手段）と、記憶部１０１（記憶手段）と、表示部１０２（表示手段）と、入力部１０３（識別情報入力受付手段）と、制御部１０４（第１の設備情報取得手段、第２の設備情報取得手段、表示手段）と、を備える。インタフェース部１００は、ＲＳ４８５規格のインタフェース等から構成され、制御部１０４からの指令に従って、シリアルケーブル３０を介して、設備機器２０とシリアル通信を行う。記憶部１０１は、フラッシュメモリ等の不揮発性の半導体メモリから構成される。記憶部１０１には、詳細は後述するが、設備情報の取得・表示処理で使用される各種テーブル等が記憶される。
【００１６】
表示部１０２は、例えば、ＬＥＤ表示器や液晶表示器等で構成され、制御部１０４からの指令に従って、記憶部１０１に記憶されている設備機器２０の設備情報（より詳細には、表示用に変換した情報）を表示する。
【００１７】
入力部１０３は、例えば、ディップスイッチから構成される。作業者等のユーザは、所定の情報（本実施形態では、設備機器２０を一意に識別するための情報（機器ＩＤ））を入力部１０３を介して入力することができる。なお、入力部１０３は、ボタンやダイヤル等から構成されていてもよい。あるいは、表示部１０２がタッチパネルで構成されている場合には、ユーザは、表示部１０２を介して機器ＩＤを入力することもできる。
【００１８】
制御部１０４は、設備情報の取得及び設備情報の表示に係るプログラムを含む各種プログラムを実行するＣＰＵ（Central Processing Unit）、ＣＰＵが実行する各種プログラムを格納するＲＯＭ（Read Only Memory）、プログラム実行時のワークエリア等として使用されるＲＡＭ（Random Access Memory）等（何れも図示せず）から構成される。
【００１９】
なお、設備情報表示装置１０への給電方法に限定はない。例えば、設備情報表示装置１０は、電池等を備える構成であってもよいし、外部電源端子あるいは非接触給電部を備え、設備機器２０から有線あるいは非接触で給電されるようにしてもよい。
【００２０】
設備機器２０は、設備情報表示装置対応部２００と、本体部２０１とから構成される。設備情報表示装置対応部２００は、設備情報表示装置１０との間でコマンドの送受を行うための処理ユニットである。本体部２０１は、当該設備機器２０（例えば、空調機器等）の本来的な機能（例えば、空気温度の調節等）を実現するための処理ユニットである。本体部２０１の機能については、一般的なものであるため、その説明は省略する。
【００２１】
なお、図示はしないが、設備機器２０は、同一ビル内に設置された他の設備機器と共に、所定のネットワークを介して監視装置（ビル内の特定の場所に設置される）と接続し、この監視装置により集中管理されるようになっていても構わない。
【００２２】
設備情報表示装置対応部２００は、インタフェース部２１０と、記憶部２１１と、制御部２１２と、を備える。インタフェース部２１０は、ＲＳ４８５規格のインタフェース等から構成され、制御部２１２からの指令に従って、シリアルケーブル３０を介して、設備情報表示装置１０とシリアル通信を行う。
【００２３】
記憶部２１１は、フラッシュメモリ等の不揮発性の半導体メモリから構成される。記憶部２１１には、機器ＩＤ２００１、設備情報２００２、コマンド対応テーブル２００３等が記憶される。機器ＩＤ２００１は、当該設備機器２０を一意に識別するための情報であり、例えば、英数字の羅列で示される。設備情報２００２は、上述したように、当該設備機器２０の機種を特定できる情報等が含まれる共通設備情報と、当該設備機器２０の現在の動作状態を示す情報等が含まれる固有設備情報とに分類される。
【００２４】
共通設備情報及び固有設備情報は、それぞれ、その内容に応じてさらに複数種類に分けられ、それらの各々が設備情報２００２として、記憶部２１１に個別に記憶されている。
【００２５】
また、共通設備情報に分類される設備情報２００２は、いったん記憶部２１１に格納されると、通常、その内容が更新されることはない。一方、固有設備情報に分類される設備情報２００２の中には、制御部２１２により随時更新されるものもある。より詳細には、制御部２１２は、所定のタイミング（例えば、一定時間毎）で本体部２０１から当該設備機器２０の現在の動作状態を取得し、取得した動作状態に基づいて、対応する設備情報２００２の内容を更新する。
【００２６】
コマンド対応テーブル２００３は、詳細は後述するが、設備情報表示装置１０が発行した要求コマンドの解析及び設備情報表示装置１０への応答コマンドの送信の際に参照されるデータテーブルである。
【００２７】
続いて、設備情報表示装置１０の処理機能について詳細に説明する。図２に示すように、設備情報表示装置１０の制御部１０４は、機能的には、機器ＩＤ設定部１１０と、共通設備情報取得部１１１（第１の設備情報取得手段）と、固有設備情報取得部１１２（第２の設備情報取得手段）と、表示処理部１１３（表示手段）と、を備える。機器ＩＤ設定部１１０は、ユーザにより入力部１０３を介して入力された情報を機器ＩＤとして、記憶部１０１の表示情報格納テーブル１５０に格納（新規登録）する。
【００２８】
表示情報格納テーブル１５０は、図３に示すように、機器ＩＤ項目と、機種ＩＤ項目と、表示情報項目１〜ｎと、を有する。機器ＩＤ項目には、上記の機器ＩＤ設定部１１０により機器ＩＤが格納される。機種ＩＤ項目には、詳細は後述するが、共通設備情報取得部１１１により機種ＩＤが格納される。表示情報項目には、詳細は後述するが、共通設備情報取得部１１１及び固有設備情報取得部１１２のそれぞれにより、設備情報ＩＤと、表示値とが格納される。
【００２９】
共通設備情報取得部１１１は、設備機器２０から共通設備情報を取得する処理（共通設備情報取得処理）を行う。図４は、共通設備情報取得処理の手順を示すフローチャートである。共通設備情報取得部１１１は、表示情報格納テーブル１５０に格納されている機器ＩＤが示す設備機器２０に対して、一定時間毎に共通設備情報を要求するための要求コマンド３００を複数発行する（ステップＳ１０１）。
【００３０】
ここで要求コマンド３００について説明する。要求コマンド３００は、図５に示すように、機器ＩＤ格納フィールド３００１と、要求コマンド種別格納フィールド３００２とから構成される。機器ＩＤ格納フィールド３００１には、送信先となる設備機器２０の機器ＩＤが設定され、要求コマンド種別格納フィールド３００２には、この場合、共通設備情報の要求を示すコマンド種別が格納される。共通設備情報取得部１１１は、このコマンド種別をコマンド発行用テーブル１５１の共通設備用テーブル１５００から取得する。共通設備用テーブル１５００は、図６に示すように、要求コマンド種別群項目と、応答コマンド種別群項目とを有する。要求コマンド種別群項目には、予め、共通設備情報の要求を示す全てのコマンド種別が登録されている。応答コマンド種別群項目には、共通設備情報の要求に対する応答を示すコマンド種別が、要求コマンド種別群項目に格納された各コマンド種別に対応する分、予め登録されている。
【００３１】
共通設備情報取得部１１１は、要求コマンド種別群項目に登録されいる全コマンド種別（ａ００１，ａ００２，ａ００３，・・・）について、それぞれを要求コマンド種別格納フィールド３００２に格納した複数の要求コマンド３００を作成し、設備機器２０に対して発行する。共通設備情報取得部１１１が、予め登録された全コマンド種別についての要求コマンド３００を発行する理由は、次の通りである。先ず第１の理由は、共通設備情報の要求を示すコマンド種別が、設備機器２０の機種に応じて異なっているからである。また、第２の理由は、上述したように、共通設備情報は、その内容に応じて複数種類に分けることができ、設備情報表示装置１０が、その種類を特定して要求できるように、コマンド種別も分類されているからである。
【００３２】
図１に戻り、設備機器２０の設備情報表示装置対応部２００は、設備情報表示装置１０から発行された共通設備情報の要求を示す要求コマンド３００を受信すると、以下に説明するコマンド応答処理を実行する。先ず、制御部２１２は、受信した要求コマンド３００の機器ＩＤ格納フィールド３００１から機器ＩＤを抽出し、記憶部２１１に記憶されている自己の機器ＩＤ２００１と一致しているか否かを判定する。抽出した機器ＩＤと機器ＩＤ２００１が一致しない場合、制御部２１２は、当該要求コマンド３００を破棄する。
【００３３】
一方、抽出した機器ＩＤと機器ＩＤ２００１が一致する場合、制御部２１２は、さらに、当該要求コマンド３００の要求コマンド種別格納フィールド３００２からコマンド種別を抽出する。そして、コマンド対応テーブル２００３を参照して、抽出したコマンド種別に対応する設備情報２００２が記憶されているか否かを判定する。コマンド対応テーブル２００３は、図７に示すように、要求コマンド種別項目と、応答コマンド種別項目と、設備情報Ｎｏ．項目と、を有する。制御部２１２は、コマンド対応テーブル２００３の先頭レコードから順次、要求コマンド種別項目に設定されているコマンド種別と、抽出したコマンド種別とを比較する。その結果、両者が一致するレコードが存在しない場合、制御部２１２は、当該要求コマンド３００を破棄する。
【００３４】
一方、要求コマンド種別項目に設定されているコマンド種別と、要求コマンド３００から抽出したコマンド種別とが一致するレコードが存在する場合、制御部２１２は、当該レコードの応答コマンド種別項目に設定されているコマンド種別を応答コマンド種別として取得する。また、制御部２１２は、当該レコードの設備情報Ｎｏ．項目に設定されている番号に対応する設備情報２００２を記憶部２１１から取得する。ここで、記憶部２１１に記憶される各設備情報２００２には、予めシリアル番号が割り振られており、かかるシリアル番号が、コマンド対応テーブル２００３の設備情報Ｎｏ．項目に設定されているものとする。
【００３５】
制御部２１２は、自己の機器ＩＤ２００１と、取得した応答コマンド種別及び設備情報２００２と、に基づいて、応答コマンド４００を生成する。応答コマンド４００は、図８に示すように、機器ＩＤ格納フィールド４００１と、応答コマンド種別格納フィールド４００２と、設備情報格納フィールド４００３と、から構成される。制御部２１２は、自己の機器ＩＤ２００１を機器ＩＤ格納フィールド４００１に格納し、取得した応答コマンド種別及び設備情報２００２をそれぞれ応答コマンド種別格納フィールド４００２及び設備情報格納フィールド４００３に格納して、応答コマンド４００を生成する。そして、生成した応答コマンド４００をインタフェース部２１０を介して設備情報表示装置１０に送信する。
【００３６】
図４のフローチャートに戻り、共通設備情報取得部１１１は、設備機器２０から送信された応答コマンド４００を受信すると（ステップＳ１０２でＹＥＳ）、当該応答コマンド４００から応答コマンド種別を抽出する。そして、当該応答コマンド種別が、先に送信した要求コマンド３００に格納した要求コマンド種別に対応するものであるか否かを判定する（ステップＳ１０３）。具体的には、共通設備情報取得部１１１は、共通設備用テーブル１５００の応答コマンド種別群項目に登録されたコマンド種別の中から当該応答コマンド種別と一致するものを検索する。
【００３７】
上記の検索により、一致するコマンド種別を検出した場合（ステップＳ１０３でＹＥＳ）、共通設備情報取得部１１１は、抽出した応答コマンド種別と、当該応答コマンド４００に格納されている設備情報と、コマンド解析用テーブル１５２と、に基づいて、表示情報格納テーブル１５０に格納するための情報（機種ＩＤ、設備情報ＩＤ、表示値）を取得する（ステップＳ１０４）。コマンド解析用テーブル１５２は、図９に示すように、応答コマンド種別と、機種ＩＤと、設備情報ＩＤと、情報格納位置と、表示値変換Ｎｏ．とが対応付けられて登録されたデータテーブルである。
【００３８】
設備情報ＩＤとは、表示する設備情報の種類を示す識別情報であり、例えば、英数字の羅列で示される。情報格納位置とは、当該設備情報ＩＤに対応する設備情報の表示において、応答コマンド４００に格納された設備情報から実際に使用する部分のみを特定して取得するための情報である。本実施形態では、設備情報格納フィールド４００３の先頭からのバイト数を設定することで、表示に使用する領域の範囲が示される。例えば、図１０に示すように、設備情報格納フィールド４００３のフィールド長が５バイトであり、情報格納位置として、２，３が設定されている場合、当該設備情報ＩＤに対応する設備情報の表示においては、先頭から２バイト目及び３バイト目が使用されることになる。
【００３９】
表示値変換Ｎｏ．とは、上記のようにして取得した表示すべき設備情報から表示値を生成するための変換パターンを示す番号（パターン番号）である（図１１参照）。このように、様々な変換パターンを予め設定することで、設備情報格納フィールド４００３のフィールド長を大きくすることなく、格納された設備情報が示す内容の幅を広げることが可能になる。
【００４０】
共通設備情報取得部１１１は、上記のパターン番号が示す変換内容に従って、取得した表示すべき設備情報を変換することで、表示値（第１の表示情報）を取得する。そして、取得した機種ＩＤ、設備情報ＩＤ及び表示値を表示情報格納テーブル１５０に格納する（ステップＳ１０５）。この際、表示情報格納テーブル１５０に、設備情報ＩＤが同一の表示値が既に登録されている場合、新たに取得した表示値に内容が更新される。
【００４１】
以降、共通設備情報取得部１１１は、ステップＳ１０２〜Ｓ１０５の処理を繰り返し行い、要求コマンド３００を発行してから所定時間が経過すると（ステップＳ１０６でＹＥＳ）、本処理を終了する。
【００４２】
続いて、固有設備情報取得部１１２による固有設備情報取得処理について説明する。
図１２は、固有設備情報取得処理の手順を示すフローチャートである。固有設備情報取得部１１２は、一定時間毎に表示情報格納テーブル１５０を参照して、機器ＩＤと機種ＩＤが登録されているか否かを判定する（ステップＳ２０１）。両者が登録されている場合（ステップＳ２０１でＹＥＳ）、固有設備情報取得部１１２は、設備機器２０に対して、固有設備情報を要求するための要求コマンド３００を複数発行する（ステップＳ２０２）。
【００４３】
ここで発行する要求コマンド３００のフォーマットは、上述した共通設備情報を要求するための要求コマンド３００のフォーマットと同一である（図５参照）。固有設備情報取得部１１２は、表示情報格納テーブル１５０から取得した機器ＩＤを機器ＩＤ格納フィールド３００１に格納し、固有設備情報の要求を示すコマンド種別を要求コマンド種別格納フィールド３００２に格納する。固有設備情報取得部１１２は、このコマンド種別をコマンド発行用テーブル１５１の固有設備用テーブル１５０１から取得する。
【００４４】
固有設備用テーブル１５０１には、図１３に示すように、予め、機種グループ（１つの機種で構成される場合もある）毎に、固有設備情報の要求を示す全てのコマンド種別と、固有設備情報の要求に対する応答を示す全てのコマンド種別とが対応付けて登録されている。固有設備情報取得部１１２は、当該設備機器２０の機種に対応する要求コマンド種別群について、それぞれを要求コマンド種別格納フィールド３００２に格納した複数の要求コマンド３００を作成し、当該設備機器２０に対して発行する。
【００４５】
一の設備機器２０から固有設備情報を取得するために、複数の要求コマンド３００を発行するのは、上述したように、固有設備情報も、共通設備情報と同様、その内容に応じて複数種類に分けることができ、設備情報表示装置１０が、その種類を特定して要求できるように、コマンド種別が分類されているからである。
【００４６】
設備機器２０の設備情報表示装置対応部２００は、設備情報表示装置１０から発行された固有設備情報の要求を示す要求コマンド３００を受信すると、上述した共通設備情報の要求コマンド受信時と同様にして、コマンド応答処理を実行する。
【００４７】
図１２のフローチャートに戻り、固有設備情報取得部１１２は、設備機器２０から送信された応答コマンド４００を受信すると（ステップＳ２０３でＹＥＳ）、当該応答コマンド４００から応答コマンド種別を抽出する。そして、当該応答コマンド種別が、先に送信した要求コマンド３００に格納した要求コマンド種別に対応するものであるか否かを判定する（ステップＳ２０４）。具体的には、固有設備情報取得部１１２は、固有設備用テーブル１５０１の対応する応答コマンド種別群項目に登録されたコマンド種別の中から当該応答コマンド種別と一致するものを検索する。
【００４８】
上記の検索により、一致するコマンド種別を検出した場合（ステップＳ２０４でＹＥＳ）、固有設備情報取得部１１２は、抽出した応答コマンド種別と、当該応答コマンド４００に格納されている設備情報と、コマンド解析用テーブル１５２と、に基づいて、表示情報格納テーブル１５０に登録するための情報（設備情報ＩＤ、表示値（第２の表示情報））を取得する（ステップＳ２０５）。
【００４９】
そして、固有設備情報取得部１１２は、取得した設備情報ＩＤ及び表示値を表示情報格納テーブル１５０に格納する（ステップＳ２０６）。この際、表示情報格納テーブル１５０に、設備情報ＩＤが同一の表示値が既に登録されている場合は、新たに取得した表示値に更新されることになる。
【００５０】
以降、固有設備情報取得部１１２は、ステップＳ２０３〜Ｓ２０６の処理を繰り返し行い、要求コマンド３００を発行してから所定時間が経過すると（ステップＳ２０７でＹＥＳ）、本処理を終了する。
【００５１】
なお、共通設備情報取得処理と固有設備情報取得処理とは、並行して実行されてもよいし、あるいは、互い違いに実行されてもよい。
【００５２】
続いて、表示処理部１１３による表示処理について説明する。表示処理部１１３は、表示情報格納テーブル１５０を繰り返し参照し、格納されている各情報を表示部１０２を介して表示する。具体的には、先ず、機器ＩＤ及び機種ＩＤを一定時間表示し（但し、機種ＩＤが格納されていない場合は、機器ＩＤのみを表示する）、それから、格納されている設備情報ＩＤ及び表示値の組を一定時間ずつ格納順に（即ち、表示情報１から順番に）表示する。以後、同様の順番で表示を繰り返す。
【００５３】
以上説明したように、本実施形態の設備情報表示システム１によれば、設備情報表示装置１０は、設備機器２０の至近で当該設備機器２０の設備情報をリアルタイムで表示することができるため、人員を増やすことなく、設備機器２０のメンテナンス作業等の効率化及び信頼性の向上が図れる。例えば、設備機器２０が周辺環境の状態を検出するセンサ（例えば、冷媒温度センサや照度センサ等）を備え、その検出結果を利用して機器制御を行っている場合、作業者は、センサの検出結果（例えば、冷媒温度や照度等）を固有設備情報として、現場にてリアルタイムに確認することができる。したがって、当該設備機器２０の運転状態が異常を示している場合、その要因がセンサの故障にあるか否かを精度よく判断することが可能になる。
【００５４】
また、本実施形態の設備情報表示装置１０は、設備機器２０と容易に接続でき、しかも、多種多様な設備機器２０から設備情報を取得できるため、汎用性に優れる。そして、設備機器２０が備える設備情報表示装置対応部２００は、高度な機能を必要とせず、簡易な構成で実現できるため、安価で提供することができ、設備機器２０への組み入れが容易である。
【００５５】
なお、本発明は、上記実施形態に限定されず、本発明の要旨を逸脱しない範囲での種々の変更は勿論可能である。
【００５６】
例えば、上記実施形態では、設備情報表示装置１０は、ユーザにより入力部１０３を介して入力された情報を機器ＩＤとして表示情報格納テーブル１５０に格納したが、機器ＩＤの設備情報表示装置１０への入力方法に限定はない。例えば、リモコンを使用して機器ＩＤを入力できるようにしてもよいし、設備機器２０と接続した際、当該設備機器２０から自動的に通知される仕様にしてもよい。
【００５７】
また、設備情報表示装置１０において、表示情報格納テーブル１５０に格納された情報は、上記実施形態で説明した方法以外でも、様々な態様で表示させることができる。例えば、格納されている設備情報ＩＤの昇順あるいは降順で、設備情報ＩＤ及び表示値の組を一定時間ずつ表示させてもよい。また、表示の切換が、一定時間毎ではなく、ユーザ（作業者等）による入力部１０３を介した操作やリモコンを介した操作によって行われてもよい。また、表示情報格納テーブル１５０に格納された情報を一斉表示させてもよい。
【００５８】
また、設備情報表示装置１０と設備機器２０との間の通信方式に限定はなく、例えば、所定の無線通信によりコマンドの送受を行ってもよい。
【００５９】
また、設備情報表示装置１０に複数の設備機器２０を接続させてもよい。図１４は、設備情報表示装置１０に、設備機器２０Ａ〜２０Ｄをデイジーチェーン（数珠繋ぎ）接続させた例を示す。
【００６０】
また、共通設備情報取得処理及び固有設備情報取得処理において使用するコマンド解析用テーブル１５２の情報格納位置は、設備情報格納フィールド４００３の先頭からのバイト位置を示すことに限定されない。例えば、設備情報格納フィールド４００３に格納された設備情報に含まれる特定のバイナリコードを基準とした位置を示してもよい。あるいは、設備情報がテキストデータである場合には、設備情報に含まれる特定の文字（デリミタ）を基準とした位置を示すようにしてもよい。
【００６１】
また、プログラムの適用により、既存の携帯情報端末等を本発明に係る設備情報表示装置として機能させることも可能である。即ち、上述した制御部１０４が実行したようなプログラムを、既存の携帯情報端末等に適用し、当該携帯情報端末等を制御するコンピュータ（ＣＰＵなど）がそのプログラムを実行することで、上述した各機能構成や処理が実現され得る。
【００６２】
このようなプログラムの配布方法は任意であり、例えば、メモリカードなどの記録媒体に格納して配布可能である他、例えば、インターネットなどの通信ネットワークを介して配布することもできる。そして、このようにして配布されたプログラムを携帯情報端末等にインストールして適用することで、上述した設備情報表示装置２０と同様な機能を実現することができる。
【産業上の利用可能性】
【００６３】
本発明の設備情報表示装置は、多種多様な設備機器と容易に接続でき、設備情報の取得及び表示が容易に行えるため、例えば、ビル内の各所に設置された設備機器のメンテナンス作業での利用に適する。
【符号の説明】
【００６４】
１      設備情報表示システム
１０    設備情報表示装置
２０    設備機器
１００、２１０  インタフェース部
１０１、２１１  記憶部
１０２  表示部
１０３  入力部
１０４、２１２  制御部
１１０  機器ＩＤ設定部
１１１  共通設備情報取得部
１１２  固有設備情報取得部
１１３  表示処理部
１５０  表示情報格納テーブル
１５１  コマンド発行用テーブル
１５２  コマンド解析用テーブル
２００  設備情報表示装置対応部
２０１  本体部
３００  要求コマンド
４００  応答コマンド
１５００  共通設備用テーブル
１５０１  固有設備用テーブル
３００１、４００１  機器ＩＤ格納フィールド
３００２  要求コマンド種別格納フィールド
４００２  応答コマンド種別格納フィールド
４００３  設備情報格納フィールド
【図１】
2010250679.tif 000003
【図２】
2010250679.tif 000004
【図３】
2010250679.tif 000005
【図４】
2010250679.tif 000006
【図５】
2010250679.tif 000007
【図６】
2010250679.tif 000008
【図７】
2010250679.tif 000009
【図８】
2010250679.tif 000010
【図９】
2010250679.tif 000011
【図１０】
2010250679.tif 000012
【図１１】
2010250679.tif 000013
【図１２】
2010250679.tif 000014
【図１３】
2010250679.tif 000015
【図１４】
2010250679.tif 000016